(57)【要約】【課題】  共振時の振動及び定常回転運転時の振動を低減する。【解決手段】  防振脚装置７は、洗濯機本体１を支えるゴム製の脚部材１０と、この脚部材１０の周囲を囲むスカート状の突起部材９を備えている。脚部材１０と突起部材９との間には、洗濯機本体１の横振動時にこれら脚部材１０及び突起部材９が相互に当接する隙間Ｇを持たせている。そして、突起部材９の下端と脚部材１０下端との縦方向離間寸法Ｓを洗濯機最大荷重時の脚部材１０の縮み長さ以上となる長さ寸法に設定した。【選択図】  図１
2005211307.tif 000002
【特許請求の範囲】
【請求項１】
洗濯機能及び脱水機能を備えた洗濯機本体と、この洗濯機本体の下部に設けられた防振脚装置とを備えたものにおいて、
前記防振脚装置は、洗濯機本体設置面に配置されて洗濯機本体を支える弾性材製の脚部材と、この脚部材の周囲を隙間を存して囲むスカート状の突起部材を備え、
前記脚部材と突起部材との隙間寸法を、洗濯機本体の横振動時に脚部材及び突起部材が相互に当接し得る寸法に設定し、前記突起部材下端と前記脚部材下端との縦方向離間寸法を洗濯機最大荷重時での脚部材の縮み長さ以上となる長さ寸法に設定したことを特徴とする洗濯機。
【請求項２】
突起部材の縦方向長さ寸法を、脚部材の縦方向長さ寸法のほぼ０．７倍もしくは０．７倍以上に設定したことを特徴とする請求項１記載の洗濯機。
【請求項３】
突起部材の内周面及び脚部材のいずれか一方または両方が互いに開く方向に傾斜する構成であることを特徴とする請求項１又は２記載の洗濯機。
【請求項４】
突起部材の内周面及び脚部材には、洗濯機本体の荷重時に密着する部分と横振動時に当たる部分とがあることを特徴とする請求項１ないし３のいずれかに記載の洗濯機。
【発明の詳細な説明】
【技術分野】
【０００１】
本発明は、防振脚装置を備えた洗濯機に関する。
【背景技術】
【０００２】
従来より、洗濯機においては、洗濯機本体の下部に防振脚装置を備えている。この防振脚装置は、ゴムからなる脚部材と、これの周囲に隙間を存して設けられたスカート状の突起部材とから構成されている（例えば特許文献１）。上記脚部材は、例えば脱水運転時において、洗濯機本体の共振振動（横振動）を少なくしたり、定常回転（高回転速度）での洗濯機本体での振動を少なくしたりするものである。そして、突起部材は、洗濯機本体の移動時や設置時において、脚部材が床面に対して引きずられた場合に横方向に過度に倒れないように支えるために設けられている。
【特許文献１】特開平８−１９６７８０号公報
【発明の開示】
【発明が解決しようとする課題】
【０００３】
上記構成の場合、共振時の振動を小さくするために脚部材の弾性を柔らかくすると、定常回転時の振動低減効果が低い。逆に定常回転時の振動を低減させるべく比較的固めの脚部材を採用すると、共振時の振動低減効果が小さくなってしまう。
本発明は、上記事情に鑑みてなされたものであり、その目的は、共振時の振動及び定常回転運転時の振動を低減できる洗濯機を提供するにある。
【課題を解決するための手段】
【０００４】
請求項１の発明は、洗濯機能及び脱水機能を備えた洗濯機本体と、この洗濯機本体の下部に設けられた防振脚装置とを備えたものにおいて、
前記防振脚装置は、洗濯機本体設置面に配置されて洗濯機本体を支える弾性材製の脚部材と、この脚部材の周囲を隙間を存して囲むスカート状の突起部材を備え、
前記脚部材と突起部材との隙間寸法を、洗濯機本体の横振動時に脚部材及び突起部材が相互に当接し得る寸法に設定し、前記突起部材下端と前記脚部材下端との縦方向離間寸法を洗濯機最大荷重時での脚部材の縮み長さ以上となる長さ寸法に設定したところに特徴を有する。
【発明の効果】
【０００５】
脱水槽が回転される脱水運転時において、共振回転時（低速回転域）では、洗濯機本体が横振動することが多い。この場合、脚部材として硬めのものを使用すれば良いが、硬くすると定常回転時の振動が大きくなる。
しかるに、上記請求項１の発明においては、横振動時には脚部材と突起部材とが当たる関係にあるから、脚部材が突起部材によって支えられる形態となって、該脚部材の硬さが増加した形態となる。従って、共振振動（横振動）を抑えることができる。そして、横振動の少ない定常回転時には、脚部材が突起部材に当たらずに、脚部材の弾性が硬くなることなくそのまま発揮される。この結果、定常回転時の振動も良好に低減できる。
【発明を実施するための最良の形態】
【０００６】
以下本発明を例えばトップオープン式のドラム式洗濯機に適用した第１の実施例をつき図１ないし図７を参照して説明する。図３には、例えばトップオープン式のドラム式洗濯機の全体構成が記載されている。洗濯機本体１は、その外郭２の内部に、水槽や、洗濯槽兼脱水槽たるドラム、乾燥装置などを配設して構成されている。上記ドラムは左右方向の回転軸を中心として回転可能に設けられていて、洗剤洗いやすすぎ洗いといった洗濯時には、内部に適宜量の水が溜められてドラムが低速回転され（洗濯機能）、脱水運転時には高速回転される（脱水機能）。
【０００７】
上記外殻２は、外箱３と、これの下部に取着された底板４と、外箱３の上部に取着された上部カバー５などを有して構成されている。上部カバー５には、二つ折蓋６が設けられている。
前記底板４の下部の角部３箇所には、防振脚装置７が設けられている。残る角部１箇所には、高さ調節可能な防振脚装置（図示せず）が設けられている。さて、前記防振脚装置７について述べる。
【０００８】
防振脚装置７は、前記底板４に取り付けられた支持ベース８と、この支持ベース８に形成された突起部材９と、床面などの洗濯機本体設置面Ｆに配置される弾性材製たとえばゴム硬さ５０°のブチルゴム製の短円柱状の脚部材１０とを有して構成されている。突起部材９は支持ベース８から垂下するスカート状（円筒状）に形成されている。
突起部材９の天井板部９ａには下方に突出するねじ座部９ｂが形成されている。前記脚部材１０には前記ねじ座部９ｂと嵌合する嵌合孔部１０ａが形成されていて、それらの嵌合により脚部材１０が位置決めされた状態で、ねじ１１により突起部材９に取り付けられている。この場合、突起部材９は脚部材１０の周囲を隙間Ｇを存して囲む形態となっている。上述の位置決めによって突起部材９と脚部材１０との取り付け精度が高くなり、前記隙間Ｇの精度が確保される。
【０００９】
突起部材９の内周面の上部９ｃはほぼストレートな筒状をなし、下部９ｄは下方へ向かうに従って漸次拡開するように傾斜した形態に形成されている。前記隙間Ｇの寸法Ｇａ及びＧｂ（図１参照）は、洗濯機本体１の横振動時にこれら脚部材１０と突起部材９の内周面上部９ｃ及び下部９ｄとが相互に当接し得る寸法に設定されている。この実施例では、脚部材１０の径寸法Ｒが３０ｍｍで、脚部材１０のフリー状態（被取付状態の単独状態）での縦方向長さ寸法Ｋが１９ｍｍ（設置状態では１割程度縮み変形する）、突起部材９の内周面上部９ｃと脚部材１０との隙間寸法Ｇａが０．５ｍｍ、内周面下部９ｄの下端と脚部材１０との隙間寸法Ｇｂが０．９ｍｍ、突起部材９の縦方向長さ寸法Ｈが１３．３ｍｍ、突起部材９の内周面上部９ｃ（ストレート部分）の上下長さ寸法Ｈａが６ｍｍとなっている。
【００１０】
突起部材９の下端と前記脚部材１０下端との縦方向離間寸法Ｓ（図１参照）は洗濯機最大荷重時の脚部材１０の縮み長さ以上となる長さ寸法に設定されている。この場合、この長さ条件を満たしつつ、突起部材９の縦方向長さ寸法Ｈは、脚部材１０の縦方向長さ寸法Ｋのほぼ０．７倍に設定されている。ただし、０．７倍以上でも良い。
ここで、上記隙間寸法Ｇａ及びＧｂは、０．５〜２．０ｍｍであることが好ましい。すなわち、脚部材１０の体積Ｖは、半径をｒ、高さをｈとした場合、
Ｖ＝πｒ2×ｈ    で示される。
【００１１】
そして、Ｖを一定にして、ｈ＝０．７ｈとしたときの半径をｒ´とすると、
ｒ´＝[Ｖ/（0.7ｈ×π）]-2    となる。
従って、ｒ´／ｒ＝１．１９    となる。脚部材１０の直径が３０ｍｍ（ｒ＝１５）とした場合、ｒ´は３５．９ｍｍとなり、隙間Ｇの寸法は０．５〜２．０ｍｍであれば、脚部材１０が突起部材９に密着して潰れないことが分かる。従って弾性劣化や圧縮永久歪が防止できるものである。
【００１２】
上記構成の本実施例の作用を説明する。図５に示すように、ドラムが回転される脱水運転時において比較的低回転速度状態（７００ｒｐｍ付近）で発生する共振時には、洗濯機本体１は横方向に振動する。このとき、図２に示すように、洗濯機本体１が矢印Ａ方向へ横振動したとき突起部材９の内周面が脚部材１０の外面に当たる。反矢印Ａ方向へ横振動したときは突起部材９の他方の内周面が脚部材１０の外面に当たる。総じて、横振動時には脚部材１０と突起部材９とが当たることにより、脚部材１０が突起部材９によって支えられる形態となって、該脚部材１０の硬さが増加した形態となる。従って、共振振動（横振動）を抑えることができる。
【００１３】
また、脱水運転時において、ドラムの回転が立ち上がって定常回転状態（９００〜１２００ｒｐｍ）になると、横振動は少なくなるが振動は発生する。この場合には図１に示すように、脚部材１０が突起部材９に当たらずに、脚部材１０の弾性が硬くなることなくそのまま発揮される。この結果、定常回転時の振動も良好に低減できる。
図６には、脱水運転時においても脚部材と突起部材とが常に離間している従来構成の場合における振動振幅の変化特性を示している。特性線Ｊ１はゴム硬度４０°の脚部材の場合、特性線Ｊ１はゴム硬度５０°の脚部材の場合、特性線Ｊ１はゴム硬度６０°の脚部材の場合を示している。ゴム硬度の値が小さいほど、柔らかい（弾性に富む）。各特性線のピーク部分は共振時（横振動時）が現れている。そして、回転速度が高くなって定常回転となると、振幅は小さくなる。ゴムが柔らかいほど、横振動時の振幅が大きく、定常回転での振幅が小さい。ゴム硬度を硬くすれば横振動時の振幅は小さくできるが、定常回転時での振幅が大きくなる。定常回転での振動低減を図りつつ横振動時の振幅を小さく（横振動を低減）することが好ましい。
【００１４】
本実施例によれば、定常回転時では、脚部材１０と突起部材９とが当たらずに共振時には当たるから、図７に示すように、定常回転時の振動高くなることなく、横振動を低減できた。
また、本実施例によれば、突起部材９の下端と前記脚部材１０との縦方向離間寸法Ｓを洗濯機最大荷重時の脚部材１０の縮み長さ以上となる長さ寸法に設定したから、突起部材９下端が洗濯機配置面Ｆに接触することはない。
【００１５】
特に、突起部材９の縦方向長さ寸法Ｈを、脚部材１０の縦方向長さ寸法Ｋのほぼ０．７倍に設定したことによって、脚部材１０の縦方向でほぼ７０％の部分を支えることができて、横振動の低減に大いに寄与できる。この場合、０．７倍以上としても良い。
また、洗濯に先立って水槽内に給水されると、水の重み（荷重）が脚部材１０にかかるものであり、この場合、脚部材１０が縮む。このとき、従来構成のものであると、特に最大水量（最大荷重）が給水されると、その縮み量も大きく、経年的にゴムが硬くなって塑性変形し、縦方向長さも縮んだままとなってしまう。
【００１６】
この点、本実施例によれば、図４に示すように、脚部材１０が大きな荷重を受けると、上下方向に縮むが横方向には膨張する。この場合、突起部材９の内周面（特には内周面上部９ｃ）に膨張した脚部材１０の側面が密着するので、それ以上縦方向に縮むことはなく、脚部材１０の弾性劣化を防止できる。このように、突起部材９の内周面及び脚部材１０には、洗濯機本体１の荷重時に密着する部分（内周面上部９ｃ）と、横振動時にあたる部分（内周面上部９ｃ及び下部９ｄ）とがあることにより、共振時の横振動の低減を図り得るのに加えて、脚部材１０の弾性劣化を抑えることができる。
【００１７】
図８及び図９は本発明の第２の実施例を示しており、この第２の実施例においては、突起部材９の内周面が上部９ｃと下部９ｄとで傾斜角度が異なっている。この場合、脚部材１０に洗濯機本体１の最大荷重がかかったときには、図９に実線で示すように、脚部材１０が突起部材９の内周面上部９ｃに密着し、共振時には、図９に二点鎖線で示すように、脚部材１０が突起部材９の内周面上部９ｃ及び下部９ｄに当たるようになる。また、この第２の実施例では、脚部材１０の上端部（根元部）が突起部材９の天井板部９ａ（根元部）に合致しており、これによると、脚部材１０がさらに確実に位置決めされ、脚部材１０が床面に接触したまま洗濯機本体１が移動されるようなことがあっても、脚部材１０が位置ずれすることがない。
【００１８】
図１０及び図１１は本発明の第３の実施例を示し、この第３の実施例においては、突起部材９の内周面９ｅが単一の傾斜形態になっている。この実施例の場合、図１１に実線で示すように、脚部材１０が突起部材９の内周面９ｅの根元部分もしくは全体に密着し、共振時には、図１１に二点鎖線で示すように、脚部材１０が突起部材９の内周面９ｅに当たるようになる。
【００１９】
図１２は本発明の第４の実施例を示しており、この実施例においては、脚部材１０の外周面を傾斜させた構成が上記第３実施例と異なる。このようにしても良い。この場合、突起部材の内周面及び脚部材のいずれか一方または両方が互いに開く方向に傾斜する構成としても良い。
本発明は、トップオープン式ドラム式洗濯機に限られず、前面オープン式ドラム式洗濯機や、洗濯槽兼脱水槽たる縦型回転槽を備えた縦型洗濯機にも適用できるものである。
【図面の簡単な説明】
【００２０】
【図１】本発明の第１の実施例を示す防振脚装置部分の縦断面図
【図２】共振時の状態を示す防振脚装置部分の縦断面図
【図３】トップオープン式のドラム式洗濯機の斜視図
【図４】脚部材に最大荷重がかかった状態の防振脚装置部分の縦断面図
【図５】洗濯機本体の共振時の横振動を示す概念図
【図６】脚部材のゴム硬度に応じた特性を示す図
【図７】脱水運転時の回転速度と洗濯機本体の振動振幅との関係を示す図
【図８】本発明の第２の実施例を示す図１相当図
【図９】図４相当図
【図１０】本発明の第３の実施例を示す図１相当図
【図１１】図４相当図
【図１２】本発明の第４の実施例を示す図１相当図
【符号の説明】
【００２１】
図面中、１は洗濯機本体、４は底板、７は防振装置、８は支持ベース、９は突起部材、１０は脚部材、Ｇは隙間を示す。
【図１】
2005211307.tif 000003
【図２】
2005211307.tif 000004
【図３】
2005211307.tif 000005
【図４】
2005211307.tif 000006
【図５】
2005211307.tif 000007
【図６】
2005211307.tif 000008
【図７】
2005211307.tif 000009
【図８】
2005211307.tif 000010
【図９】
2005211307.tif 000011
【図１０】
2005211307.tif 000012
【図１１】
2005211307.tif 000013
【図１２】
2005211307.tif 000014